(57)【要約】【課題】  プレーヤ一体型モニタ装置において、視聴制限の設定・解除の操作性を改善する。【解決手段】  外部から映像信号が入力されるモニタ部１０と、ディスクから映像信号を再生するプレーヤ部３０と、セレクタ回路２１とによりプレーヤ一体型モニタ装置６０を構成する。セレクタ回路２１は、モニタ部１０に設けられるとともに、外部から入力された映像信号と、プレーヤ部３０によりディスクから再生された映像信号とを選択してディスプレイに出力する構成とする。セレクタ回路２１が、外部から入力された映像信号を選択している場合には、この映像信号に対する視聴制限の設定・解除を許可する。セレクタ回路２１が、ディスクから再生された映像信号を選択している場合には、このディスクから再生された映像信号に対する視聴制限の設定・解除を許可する。【選択図】  図１
2008042533.tif 000002
【特許請求の範囲】
【請求項１】
外部から映像信号が入力されるモニタ部と、
ディスクから映像信号を再生するプレーヤ部と、
セレクタ回路と
を有するプレーヤ一体型モニタ装置であって、
上記セレクタ回路は、
上記モニタ部に設けられるとともに、
上記外部から入力された映像信号と、上記プレーヤ部により上記ディスクから再生された映像信号とを選択してディスプレイに出力する構成とされ、
上記セレクタ回路が、上記外部から入力された映像信号と、上記ディスクから再生された映像信号との一方の映像信号を選択している場合、上記ディスプレイに出力される映像信号に対する視聴制限の設定の変更を許可する
ようにしたプレーヤ一体型モニタ装置。
【請求項２】
外部から映像信号が入力されるモニタ部と、
ディスクから映像信号を再生するプレーヤ部と、
セレクタ回路と
を有するプレーヤ一体型モニタ装置であって、
上記セレクタ回路は、
上記モニタ部に設けられるとともに、
上記外部から入力された映像信号と、上記プレーヤ部により上記ディスクから再生された映像信号とを選択してディスプレイに出力する構成とされ、
上記セレクタ回路が、上記外部から入力された映像信号を選択している場合には、この映像信号に対する視聴制限の設定の変更を、上記ディスプレイに出力される映像信号に対して許可し、
上記セレクタ回路が、上記ディスクから再生された映像信号を選択している場合には、このディスクから再生された映像信号に対する視聴制限の設定の変更を、上記プレーヤ部に対して許可する
ようにしたプレーヤ一体型モニタ装置。
【請求項３】
請求項２に記載のプレーヤ一体型モニタ装置において、
上記セレクタ回路が、上記外部から入力された映像信号を選択している場合に、上記ディスクから再生される映像信号に対する視聴制限の設定の変更の操作を実行したときには、その操作が無効であることを示す映像信号を上記ディスプレイに出力し、
上記セレクタ回路が、上記ディスクから再生された映像信号を選択している場合に、上記外部から入力された映像信号に対する視聴制限の設定の変更の操作を実行したときには、その操作が無効であることを示す映像信号を上記ディスプレイに出力する
ようにしたプレーヤ一体型モニタ装置。
【請求項４】
請求項３に記載のプレーヤ一体型モニタ装置において、
上記外部から入力された映像信号は、所定の区間にその映像信号に対する視聴制限の情報を有し、
上記ディスクは、このディスクから再生される映像信号に対する視聴制限の情報を有し、
上記外部から入力された映像信号の有する視聴制限の情報と、ユーザの設定した視聴制限とから、上記外部から入力された映像信号に対する視聴制限を実行し、
上記ディスクから再生された映像信号の有する視聴制限の情報と、ユーザの設定した視聴制限とから、上記ディスクから再生された映像信号に対する視聴制限を実行する
ようにしたプレーヤ一体型モニタ装置。
【請求項５】
プレーヤ一体型モニタ装置に外部から入力される映像信号と、
上記プレーヤ一体型モニタ装置に内蔵されたプレーヤによりディスクから再生される映像信号とを、セレクタ回路により選択してディスプレイに供給する場合に、
上記セレクタ回路が、上記外部から入力された映像信号を選択しているときには、この映像信号に対する視聴制限の設定の変更を許可し、
上記セレクタ回路が、上記ディスクから再生された映像信号を選択している場合には、このディスクから再生された映像信号に対する視聴制限の設定の変更を、上記プレーヤに許可する
ようにした視聴制限の設定方法。
【発明の詳細な説明】
【技術分野】
【０００１】
この発明は、プレーヤ一体型モニタ装置およびその視聴制限の設定方法に関する。
【背景技術】
【０００２】
最近の液晶式テレビやプラズマ式テレビは、各種の外部入力も考慮されてモニタ装置（モニタディスプレイ）としても機能するように構成されている。そして、このようなモニタ装置の一部には、教育上の見地から番組の視聴を制限する機能を持つものがある。この視聴制限機能は、入力される映像信号の第21水平ラインに重畳された信号にしたがって、映像の表示を制御するものである。
【０００３】
一方、ＤＶＤプレーヤにも同様の目的で視聴制限機能が用意されている。ＤＶＤプレーヤの場合は、ＤＶＤディスクに記録されている情報にしたがってＤＶＤプレーヤが再生の許可・禁止を判断したり、再生するシーンを入れ換えたりしている。
【０００４】
なお、先行技術文献として例えば以下のものがある。
【特許文献１】特開２００６−１８０１２１号公報
【発明の開示】
【発明が解決しようとする課題】
【０００５】
ところで、モニタ装置として、外部から入力される映像信号を表示するモニタ部と、ＤＶＤディスクの再生を行うＤＶＤプレーヤ部とを複合化した装置がある。ところが、このようなＤＶＤプレーヤ一体型モニタ装置では、その視聴制限に問題を生じてしまう。
【０００６】
すなわち、モニタ部の視聴制限機能は、その設定メニューをモニタ部の画面に表示し、パスワードなどの必要事項を入力するようにされているのが普通である。また、ＤＶＤプレーヤ部の視聴制限機能も同様である。
【０００７】
そこで、ＤＶＤプレーヤ一体型モニタ装置を設計する場合、ＤＶＤプレーヤ単体をモニタ装置に組み込んで構成すると、ＤＶＤプレーヤ部の設定メニューと、モニタ部の設定メニューとが複合されてしまうことになるが、このとき、モニタ部とＤＶＤプレーヤ部とでは、上記のように視聴制限の内容や項目が異なる。
【０００８】
この結果、ＤＶＤプレーヤ一体型モニタ装置に視聴制限機能を付加した場合、ＤＶＤディスクを観るときの視聴制限を、ＤＶＤプレーヤ部とモニタ部とのどちらに設定すべきか、あるいはどちらに設定したかが不明確になってしまい、ＤＶＤプレーヤ一体型モニタ装置としての操作性が悪くなってしまうことがある。
【０００９】
この発明は、このような問題点を解決しようとするものである。
【課題を解決するための手段】
【００１０】
この発明においては、
外部から映像信号が入力されるモニタ部と、
ディスクから映像信号を再生するプレーヤ部と、
セレクタ回路と
を有するプレーヤ一体型モニタ装置であって、
上記セレクタ回路は、
上記モニタ部に設けられるとともに、
上記外部から入力された映像信号と、上記プレーヤ部により上記ディスクから再生された映像信号とを選択してディスプレイに出力する構成とされ、
上記セレクタ回路が、上記外部から入力された映像信号を選択している場合には、この映像信号に対する視聴制限の設定の変更を、上記ディスプレイに出力される映像信号に対して許可し、
上記セレクタ回路が、上記ディスクから再生された映像信号を選択している場合には、このディスクから再生された映像信号に対する視聴制限の設定の変更を、上記プレーヤ部に対して許可する
ようにしたプレーヤ一体型モニタ装置
とするものである。
【発明の効果】
【００１１】
この発明によれば、視聴制限の設定あるいは解除をするとき、モニター部およびＤＶＤプレーヤ部がそれぞれについての設定や解除だけをでき、ＤＶＤプレーヤ一体型モニタ装置としての操作性がよい。
【発明を実施するための最良の形態】
【００１２】
〔１〕  構成
図１において、符号６０はこの発明を適用したＤＶＤプレーヤ一体型モニタ装置の一例を示す。この例においては、このモニタ装置６０は、４つの入力信号の選択が可能であり、そのうちの１つが内蔵のＤＶＤプレーヤの再生信号とされている場合である。すなわち、３つの外部入力と、内蔵ＤＶＤプレーヤとを選択して再生できる場合である。
【００１３】
そして、符号１０はそのモニタ部を示し、これは、音声信号の信号系１１〜１６および映像信号の信号系２１〜２３とから構成される。そして、符号ＴV1〜ＴV3はアナログ映像信号の外部入力端子を示し、符号ＴA1〜ＴA3は、端子ＴV1〜ＴV3に供給されるアナログ映像信号と対になる音声信号の入力端子を示す。
【００１４】
ただし、この例においては、入力端子ＴA1、ＴA2にはアナログ音声信号が供給され、入力端子ＴA3にはデジタル音声信号が供給される。そして、入力端子（ＴV1、ＴA1）〜（ＴV3、ＴA3）の入力信号が、上記の４つの入力信号のうちの「入力１」〜「入力３」となるものである。
【００１５】
また、符号３０は内蔵のＤＶＤプレーヤ部を示す。このＤＶＤプレーヤ部３０は標準的なＤＶＤプレーヤであるが、上述のように視聴制限機能をモニタ部１０とは独立に有するとともに、その視聴制限の内容をユーザが設定できるものである。そして、ＤＶＤプレーヤ部３０からは、その視聴制限の設定にしたがったアナログ映像信号およびデジタル音声信号が出力される。なお、このＤＶＤプレーヤ部３０が、上記４つの入力信号のうちの第４の入力、すなわち、「ＤＶＤ」となるものである。
【００１６】
そして、音声入力端子ＴA1、ＴA2に供給されたアナログ音声信号が、セレクタ回路１１に供給されて一方の音声信号が選択されて出力され、その出力信号がＡ／Ｄコンバータ回路１２に供給されてデジタル音声信号にＡ／Ｄ変換される。そして、このデジタル音声信号と、音声入力端子ＴA3に供給されたデジタル音声信号と、ＤＶＤプレーヤ部３０から出力されるデジタル音声信号とが、セレクタ回路１３に供給されていずれかの音声信号が選択されて出力される。そして、このセレクタ回路１３の出力信号が、例えばＤＳＰにより構成された音声信号処理回路１４に供給されてサラウンド効果などの処理が行われ、デジタルアンプ、例えばいわゆるＤ級アンプ１５を通じてスピーカ１６に供給される。
【００１７】
また、映像入力端子ＴV1〜ＴV3に供給されたアナログ映像信号と、ＤＶＤプレーヤ部３０から出力されたアナログ映像信号とが、セレクタ回路２１に供給され、セレクタ回路１３から出力される音声信号と対となる映像信号が選択されて取り出される。そして、この取り出された映像信号が、映像信号処理回路２２に供給されて各種の処理が実行されてからディスプレイ、この例においては、カラー液晶パネル２３に供給されてカラー映像が表示される。
【００１８】
なお、この場合、映像信号処理回路２２はＯＳＤ機能を有し、後述するシステム制御回路４０から所定の表示データが供給されると、その表示データに対応した映像信号を形成し、これを液晶パネル２３に供給してその表示データに対応した文字、数字、記号などを表示するものである。
【００１９】
さらに、セレクタ回路２１から取り出される映像信号の一部が検出回路２４に供給され、その映像信号の第21水平ラインに重畳された信号、すなわち、視聴制限の情報信号Ｓ24が取り出され、この情報信号Ｓ24がシステム制御回路４０に供給される。
【００２０】
このシステム制御回路４０は、ユーザの指示にしたがって、ＤＶＤプレーヤ部３０、セレクタ回路１１、１３、２１、音声信号処理回路１４、映像信号処理回路２２の制御を行うものである。このため、制御回路４０は、マイクロコンピュータにより構成され、ＣＰＵ４１と、各種のプログラムが書き込まれているＲＯＭ４２と、ワークエリア用のＲＡＭ４３と、不揮発性メモリ４４とを有している。
【００２１】
そして、ＲＯＭ４２は、そのプログラムの一部として、図２〜図４に示すルーチン１００〜３００を有する。これらのルーチン１００〜３００の詳細については後述するが、図２〜図４においては、ルーチン１００〜３００は、この発明に関係する部分だけを抜粋して示している。また、メモリ４４には、モニタ部１０についての視聴制限に関する情報が保存される。
【００２２】
さらに、システム制御回路４０には、各種の操作キー５１が接続されるとともに、リモコン（遠隔操作）の受信部５２が接続される。
【００２３】
この受信部５２は、リモコンの送信機５３と対となっているものであり、これら送信機５３および受信部５２は、例えば赤外線によりリモコンを実現するものである。そして、送信機５３は、「入力１」〜「入力３」および「ＤＶＤ」からの信号（音声信号および映像信号）を切り換えるための入力選択キー、数字キーなどを有するとともに、「入力１」〜「入力３」に対する設定用キー５３Ｔと、「ＤＶＤ」に対する設定用キー５３Ｄとを有する。
【００２４】
そして、制御回路４０から、ＤＶＤプレーヤ部３０、セレクタ回路１１、１３、２１、音声信号処理回路１４、映像信号処理回路２２にそれぞれの制御信号が供給される。なお、セレクタ回路１１、１３、２１は、上記のように目的とする音声信号および映像信号に対応して連動して切り換えられる。
【００２５】
〔２〕  動作
〔２−１〕  視聴時の動作
リモコン送信機５３の入力選択キーを押すと、これが赤外線により送信機５３から受信部５２に送信され、入力選択キーの押されたことがシステム制御回路４０に通知される。すると、システム制御回路４０において、ＣＰＵ４１の処理がルーチン１００のステップ１０１からスタートし、次にステップ１０２において、所定の表示データが形成され、この表示データが映像信号処理回路２２に供給され、この結果、液晶パネル２３の表示画面には、例えば図５に示すような選択メニュー２３Ｍが表示されるとともに、続くステップ１０３において、送信機５３からの指示の入力待ちとなる。
【００２６】
この場合、メニュー２３Ｍには、入力端子（ＴV1、ＴA1）〜（ＴV3、ＴA3）およびＤＶＤプレーヤ部３０に対応して、「入力１」〜「入力３」および「ＤＶＤ」の文字が表示されるとともに、それまで選択されていた入力を示す文字、例えば「入力２」の文字にカーソル２３Ｃが反転表示（図５では、カーソル２３Ｃを太枠で表示）により表示される。
【００２７】
そして、カーソル２３Ｃが表示されている項目が、以後の処理の対象となるものであり、リモコン送信機５３の上方向キーあるいは下方向キーを押すと、カーソル２３Ｃが上下する。また、リモコン送信機５３の決定キーを押すと、そのときカーソル２３Ｃが表示されていた項目が有効となり、選択されるものである。
【００２８】
そして、リモコン送信機５３の決定キーを押すと、処理はステップ１０３からステップ１１１に進み、このステップ１１１において、「入力１」〜「入力３」のいずれかが選択されたか否かが判別され、「入力ｋ」（ｋ＝１〜３のどれか）が選択された場合には、処理はステップ１１１からステップ１１２に進み、ステップ１０３により選択された「入力ｋ」について、以下のように処理がされる。
【００２９】
すなわち、ステップ１１２においては、制御回路４０によりセレクタ回路２１が切り換え制御され、「入力ｋ」に対応する入力端子ＴVkに供給された映像信号がセレクタ回路２１を通じて映像信号処理回路２２に供給される。
【００３０】
また、ステップ１０３により「入力１」あるいは「入力２」が選択されたときには、ステップ１１２において、制御回路４０によりセレクタ回路１１が切り換え制御され、入力端子ＴA1あるいはＴA2に供給された音声信号がセレクタ回路１１を通じてＡ／Ｄコンバータ回路１２に供給されてデジタル音声信号とされる。そして、この音声信号がセレクタ回路１３に供給されるとともに、制御回路４０によりセレクタ回路１３がＡ／Ｄコンバータ回路１２に切り換えられる。したがって、Ａ／Ｄコンバータ回路１２からの音声信号が、セレクタ回路１３を通じて音声信号処理回路１４に供給される。
【００３１】
さらに、ステップ１０３により「入力３」が選択されたときには、ステップ１１２において、入力端子ＴA3に供給されたデジタル音声信号がセレクタ回路１３を通じて音声信号処理回路１４に供給される。
【００３２】
そして、処理はステップ１１２に続いてステップ１１３に進み、このステップ１１３において、不揮発性メモリ４４に保存されている視聴制限情報のうち、「入力ｋ」についての視聴制限情報Ｄk（ユーザが設定した視聴制限情報Ｄk）が読み出され、次にステップ１１４において、その読み出された視聴制限情報Ｄkの内容が判別される。
【００３３】
そして、視聴制限情報Ｄkが「視聴を許可」を示しているときには、処理はステップ１１４からステップ１２１に進み、このステップ１２１において、映像信号処理回路２２および音声信号処理回路１４の信号処理が許可される。
【００３４】
したがって、ステップ１２１が実行された時点から、映像信号処理回路２２に供給されている映像信号が液晶パネル２３に供給され、この結果、ステップ１０３により選択された「入力ｋ」の映像が液晶パネル２３に表示される。さらに、音声信号処理回路１４に供給されている音声信号がアンプ１５によりＤ級増幅されてからスピーカ１６に供給され、ステップ１０３により選択された「入力ｋ」の音声がスピーカ１６から出力される。そして、処理はステップ１２２に進み、ルーチン１００を終了する。
【００３５】
こうして、「入力ｋ」に対してユーザが視聴制限を設定していない場合には、それらの映像および音声がそのまま出力される。
【００３６】
しかし、ステップ１１４において、「入力ｋ」についての視聴制限情報Ｄkが「視聴を制限」を示しているときには、処理はステップ１１４からステップ１１５に進み、このステップ１１５において、検出回路２４から出力された情報信号Ｓ24の内容が判別され、情報信号Ｓ24が何も視聴制限（放送局による視聴制限）を示していないときには、処理はステップ１１５からステップ１２１に進む。したがって、「入力ｋ」に対してユーザにより視聴制限が設定されていても、「入力ｋ」の視聴に対して放送局側が視聴制限を設定していない場合には、それらの映像および音声がそのまま出力される。
【００３７】
しかし、ステップ１１５において、情報信号Ｓ24が「視聴を制限」を示しているときには、処理はステップ１１５からステップ１３１に進み、このステップ１３１において、映像信号処理回路２２および音声信号処理回路１４の信号処理が制限される、この視聴制限の内容は、ユーザが設定した視聴制限情報Ｄkおよび放送局が設定した視聴制限情報Ｓ24にしたがう内容であり、例えば、映像信号および音声信号はミューティングされる。
【００３８】
また、システム制御回路４０において、所定の表示データが形成され、この表示データが映像信号処理回路２２に供給されて映像信号とされてから液晶パネル２３に供給され、その結果、例えば図６に示すように、液晶パネル２３には、「視聴制限が設定されています」が表示される。そして、その後、ステップ１２２によりルーチン１００を終了する。
【００３９】
こうして、「入力ｋ」に対して視聴制限が設定されているとともに、入力された映像信号にも視聴制限が設定されている場合には、それらの映像および音声は出力されない。
【００４０】
一方、ステップ１０３において「ＤＶＤ」が選択された場合には、処理はステップ１１１から直接ステップ１２１に進み、上記のように、映像信号処理回路２２および音声信号処理回路１４の信号処理が許可される。
【００４１】
したがって、ＤＶＤプレーヤ部３０から映像信号および音声信号が出力されれば、その映像が液晶パネル２３に表示されるとともに、その音声がスピーカ１６から出力される。ただし、この場合、ＤＶＤプレーヤ部３０の再生するＤＶＤディスクに視聴制限が設定されているときには、ＤＶＤプレーヤ部３０から出力される映像信号および音声信号は、その視聴制限にしたがった内容となるので、液晶パネル２３に表示される映像は、その視聴制限に対応したものとなる。
【００４２】
こうして、ＤＶＤディスクに視聴制限が設定されていない場合には、それらの映像および音声がそのまま出力され、視聴制限が設定されている場合には、その視聴制限の内容に対応した映像および音声が出力される。
【００４３】
〔２−２〕  「入力１」〜「入力３」に対する視聴制限の設定および解除
リモコン送信機５３の操作キーのうち、外部入力の設定用キー５３Ｔを押すと、これが上述と同様にしてシステム制御回路４０に通知される。すると、ＣＰＵ４１の処理がルーチン２００のステップ２０１からスタートし、次にステップ２０２において、所定の表示データが形成され、この表示データが映像信号処理回路２２に供給され、この結果、液晶パネル２３の表示画面には、外部入力、すなわち、「入力１」〜「入力３」のためのメニューが表示されるとともに、続くステップ２０３において、送信機５３からの指示の入力待ちとなる。
【００４４】
そこで、リモコン送信機５３の上方向キー、下方向キーあるいは決定キーを操作し、ステップ２０２により表示されたメニューから「視聴制限」の項目を選択して決定すると、処理はステップ２０３からステップ２０４に進む。そして、このステップ２０４においてステップ２０３により選択された項目が「視聴制限」であるか否かが判別され、「視聴制限」のときには、処理はステップ２０４からステップ２０５に進む。
【００４５】
そして、このステップ２０５において、このとき、モニタ装置６０の入力が「入力１」〜「入力３」のいずれかに選択（視聴）されていたか否かが判別され、「入力ｋ」（ｋ＝１〜３のどれか）が選択されていた場合には、処理はステップ２０５からステップ２１１に進み、このステップ２１１において、送信機５３を通じて行われるユーザの指示にしたがって不揮発性メモリ４４に保存されている視聴制限の内容が変更される。
【００４６】
この視聴制限の内容としては、例えば、視聴制限のすべてを解除する、特定の強度の視聴制限を設定する、最大限の視聴制限を設定するなどがある。なお、これらの設定変更は、送信機５３からパスワードを入力し、視聴制限の設定の変更を有効として行う。また、このときの内容は、映像信号処理回路２２のＯＳＤ機能により液晶パネル２３に表示され、液晶パネル２３の画面を見ながら入力することが可能とされる。
【００４７】
そして、この設定結果の情報Ｄkは不揮発性メモリ４４に保存され、その後、ステップ２１２において、映像信号処理回路２２が制御されて液晶パネル２３はルーチン２００の実行前の画面に復帰され、ステップ２１３によりルーチン２００を終了する。
【００４８】
一方、ステップ２０５において、「入力１」〜「入力３」のどれもが選択されていなかった場合、すなわち、「ＤＶＤ」が選択されていた場合には、処理はステップ２０５からステップ２２１に進む。
【００４９】
そして、このステップ２２１においては、システム制御回路４０において所定の表示データが形成され、この表示データが映像信号処理回路２２に供給されて映像信号とされてから液晶パネル２３に供給され、その結果、例えば図７に示すように、液晶パネル２３には、外部入力として「入力ｋ」が選択されているが、この「入力ｋ」に対する視聴制限の設定が無効であることを示す文字列、例えば「外部入力モードなので、設定は無効です．」が表示される。そして、その後、処理はステップ２１２を通じてステップ２１３に進み、ルーチン２００を終了する。
【００５０】
なお、ステップ２０４において、「視聴制限」以外の項目が選択されていた場合には、処理はステップ２０４からステップ２３１に進み、その選択されていた項目に対応した処理が実行される。
【００５１】
こうして、「入力１」〜「入力３」のいずれかが選択（視聴）されている状態で送信機５３の外部入力の設定用キー５３Ｔを操作すると、その選択されている「入力ｋ」に対して視聴制限の内容を変更することができる。しかし、「ＤＶＤ」が選択されている状態で外部入力の設定用キー５３Ｔを操作したときには、視聴設定の操作は無効とされる。
【００５２】
〔２−３〕  「ＤＶＤ」に対する視聴制限の設定および解除
ＤＶＤに対する視聴制限は、ＤＶＤプレーヤ部３０において独立に実行されるので、その設定および解除もＤＶＤプレーヤ部３０に対して実行されることになる。
【００５３】
すなわち、リモコン送信機５３の操作キーのうち、ＤＶＤの設定用キー５３Ｄを押すと、これが上述と同様にしてシステム制御回路４０に通知される。すると、ＣＰＵ４１の処理がルーチン３００のステップ３０１からスタートし、次にステップ３０２において、所定の表示データが形成されて映像信号処理回路２２に供給され、液晶パネル２３の表示画面には、ＤＶＤのためのメニューが表示されるとともに、続くステップ３０３において、送信機５３からの指示の入力待ちとなる。
【００５４】
そこで、リモコン送信機５３の上方向キー、下方向キーあるいは決定キーを操作し、ステップ３０２により表示されたメニューから「視聴制限」の項目を選択して決定すると、処理はステップ３０３からステップ３０４に進む。そして、このステップ３０４においてステップ３０３により選択された項目が「視聴制限」であるか否かが判別され、「視聴制限」のときには、処理はステップ３０４からステップ３０５に進む。
【００５５】
そして、このステップ３０５において、このとき、モニタ装置６０の入力が「ＤＶＤ」に選択（視聴）されていたか否かが判別され、「ＤＶＤ」が選択されていた場合には、処理はステップ３０５からステップ３１１に進み、このステップ３１１において、送信機５３を通じて行われるユーザの指示にしたがってＤＶＤプレーヤ部３０の不揮発性メモリ（図示せず）に保存されている視聴制限の内容が変更される。
【００５６】
この視聴制限の内容は、例えば、視聴制限のすべてを解除する、特定の強度の視聴制限を設定する、最大限の視聴制限を設定するなどがある。なお、これらの設定時には、送信機５３からパスワードを入力する。また、このときの内容は、映像信号処理回路２２のＯＳＤ機能により液晶パネル２３に表示され、液晶パネル２３の画面を見ながら入力することが可能とされる。そして、この設定結果はＤＶＤプレーヤ部３０の不揮発性メモリに保存される。
【００５７】
そして、その後、処理はステップ３１１からステップ３１２に進み、このステップ３１２において、映像信号処理回路２２が制御されて液晶パネル２３はルーチン３００の実行前の画面に復帰され、ステップ３１３によりルーチン３００を終了する。
【００５８】
一方、ステップ３０５において、「ＤＶＤ」が選択されていなかった場合、すなわち、「入力１」〜「入力３」のいずれかが選択されていた場合には、処理はステップ３０５からステップ３２１に進む。
【００５９】
そして、このステップ３２１においては、システム制御回路４０において所定の表示データが形成されて映像信号処理回路２２に供給され、この結果、液晶パネル２３には、「入力ｋ」が選択されているので、ＤＶＤに対する視聴制限の設定が無効であることを示す文字列が表示される。そして、その後、処理はステップ３１２を通じてステップ３１３に進み、ルーチン３００を終了する。
【００６０】
こうして、「ＤＶＤ」が選択されている状態で送信機５３のＤＶＤ用の設定用キー５３Ｄを操作すると、ＤＶＤの再生に対する視聴制限の内容を変更することができる。しかし、「入力１」〜「入力３」が選択されている状態でＤＶＤ用の設定用キー５３Ｄを操作したときには、視聴設定の操作は無効とされる。
【００６１】
〔３〕  まとめ
上述のモニタ装置６０によれば、ＤＶＤプレーヤ部３０が選択されている場合には、ＤＶＤプレーヤーとしての視聴制限だけを変更でき、かつ、ＤＶＤプレーヤーとしての視聴制限機能だけが動作する。また、外部の入力が選択されている場合には、そのモニタとしての視聴制限だけを変更できるとともに、モニタとしての視聴制限機能だけが動作する。したがって、ＤＶＤプレーヤ一体型モニタ装置としての操作性がよい。
【００６２】
なお、上述のルーチン１００においては、「入力ｋ」を視聴する場合、不揮発性メモリ４４に保存されている視聴制限情報Ｄkと、「入力ｋ」についての視聴制限の検出信号Ｓ24との両方に、視聴制限が設定されているときのみ、ステップ１３１により視聴制限が行われるとしたが、視聴制限情報Ｄkと、検出信号Ｓ24とのどちらか一方に視聴制限が設定されているとき、ステップ１３１により視聴制限が行われるようにすることもできる。
【００６３】
また、上述において、ステップ２０２、３０２において表示されるメニューは階層化することができ、各階層の項目をたどっていくと、ステップ２０４、３０４に達するようにすることもできる。さらに、上述においては、プレーヤ部３０がＤＶＤプレーヤの場合であるが、他のディスク、例えばブルーレイディスクなどを再生するプレーヤなどであってもよい。さらに、モニタ装置６０は、テレビ放送を受信するチューナ部を有していてもよい。
【００６４】
〔略語の一覧〕
Ａ／Ｄ  ：Analog to Digital
ＣＰＵ  ：Central Processing Unit
ＯＳＤ  ：On Screen Display
ＲＡＭ  ：Random Access Memory
ＲＯＭ  ：Read Only Memory
リモコン：Remote Control
【図面の簡単な説明】
【００６５】
【図１】この発明の一形態を示す系統図である。
【図２】この発明の再生時の一形態を示すフローチャートである。
【図３】この発明の設定時の一形態を示すフローチャートである。
【図４】この発明の設定時の一形態を示すフローチャートである。
【図５】表示画面の一例を示す図である。
【図６】表示画面の一例を示す図である。
【図７】表示画面の一例を示す図である。
【符号の説明】
【００６６】
１０…モニタ部、１４…音声信号処理回路、１６…スピーカ、２２…映像信号処理回路、２３…ディスプレイ、２４…検出回路、３０…ＤＶＤプレーヤ部（ＤＶＤプレーヤ）、４０…システム制御回路、５３…リモコン送信機
【図１】
2008042533.tif 000003
【図２】
2008042533.tif 000004
【図３】
2008042533.tif 000005
【図４】
2008042533.tif 000006
【図５】
2008042533.tif 000007
【図６】
2008042533.tif 000008
【図７】
2008042533.tif 000009